【手続補正書】
【提出日】平成25年12月16日(2013.12.16)
【手続補正１】
【補正対象書類名】特許請求の範囲
【補正対象項目名】全文
【補正方法】変更
【補正の内容】
【特許請求の範囲】
【請求項１】
ショットを打つ前にプレイヤーの裁量により構成変更可能でコンパクトなゴルフクラブセットであって、該ゴルフクラブセットは、
伸縮式ハンドル（１１０）により複数の個別の長さ方向位置（１６５）において長さを調整可能な少なくとも１つのシャフト（１００）であって、ヘッド交換機構（１７０）を備える前記長さを調整可能なシャフト（１００）と、
前記長さを調整可能なシャフト（１００）における少なくとも１つの交換可能なヘッド（２００、３００、４００）であって、選択可能な固定ロフトのヘッド（２０１、３０１、４０１）およびロフトを調整可能なヘッド（２０２、３０２）を有し、前記ロフトを調整可能なヘッドは、調整可能なロフト機構（５００ａ、５００ｂ）と、ソール（５０４）とを備え、該ソールの幾何学的形状部（５４５）は、各調整されたロフト角（５０９ａ、５０９ｂ）に対して、前記ロフトを調整可能なヘッド（２０２、３０２）を地面に水平に維持する前記交換可能なヘッド（２００、３００、４００）とを備え、
前記交換可能なヘッドは、
ａ）１番ウッドとしてのドライバ（２１０）、フェアウェイウッド（２２０）、およびハイブリッドを含むウッドヘッド（２００）と、
ｂ）１番〜９番アイアン（３１０、３２０）、ならびにピッチング、ギャップ、サンド、およびロブウェッジを含むウェッジ（３３０）を含むアイアンヘッド（３００）と、
ｃ）パターヘッド（４００）とからなる固定ロフトタイプ、調整可能なロフトタイプ、およびこれらの組み合わせの少なくとも１つであり、
前記ロフトの調整は、
ａ）ヘッド本体に連結された第１の頂点ピボット（５１１ａ、５１１ｂ）と、
ｂ）ロフト軸セクション（５３７ａ、５３７ｂ）に適合しかつ連結された第２の連結頂点（５１２ａ、５１２ｂ）と、
ｃ）前記第１の頂点ピボット（５１１ａ、５１１ｂ）から延在する第１のコネクティングロッド（５１４ａ、５１４ｂ）、および第２の連結頂点（５１２ａ、５１２ｂ）から延在する第２のコネクティングロッド（５１５ａ、５１５ｂ）の交点に対応する第３の頂点ピボット（５１３ａ、５１３ｂ）と、
ｄ）ロフト軸セクション（５３７ａ、５３７ｂ）に連結された第２のコネクティングロッド（５１５ａ、５１５ｂ）とを備える調整可能なロフト機構（５００ａ、５００ｂ）によって行われ、
前記コネクティングロッドのうちの少なくとも１つにおける長さは、クラブヘッドフェース（５０６ａ、５０６ｂ）およびロフト軸セクション（５３７ａ、５３７ｂ）の間の相対角度を変更することによって修正され、それにより、ロフト角（５０９ａ、５０９ｂ）を変更することを特徴とするコンパクトで構成変更可能なゴルフクラブセット。
【請求項２】
伸縮式ハンドル（１１０）およびヘッド交換機構（１７０）によって可能にされた、複数の個別の長さ方向位置（１６５）において構成変更可能な少なくとも長さを調整可能なシャフト（１００）は、シャフト（１６０）と、伸縮式ハンドル（１１０）とを備え、
ａ）前記シャフト（１６０）は、
ａ．１）前記ヘッドのコネクタ端部に配置されたヘッド交換機構（１７０）を含むヘッド交換セクション（１６１）と、
ａ．２）調整面（１６８）を規定する一定断面によって規定され、かつ端部に、シャフトバット端部（１６７）が取り付けられるシャフトバットセクション（１６６）を含む長さ調整可能セクション（１６３）と、
ａ．３）ヘッド交換セクション（１６１）を長さ調整可能セクション（１６３）に連結する移行セクション（１６２）とを備え、
ｂ）前記伸縮式ハンドル（１１０）は、
ｂ．１）中空の円形断面のチューブを含むハンドルコア（１２２）であって、その内径が、シャフト（１６６）の前記シャフトバットセクションに取り付けられたシャフトバット端部（１６７）の外径に適合する前記ハンドルコア（１２２）と、
ｂ．２）前記ハンドルコア（１２２）の一方の端部に取り付けられたロックおよびロック解除可能な伸縮式機構（１３０）であって、前記長さ調整可能セクション（１６３）の表面における複数の個別の長さ方向位置（１６５）の１つに堅固に進入する少なくとも１つのロック要素（１３８）によりロックを行なう前記ロックおよびロック解除可能な伸縮式機構と、
ｂ．３）ハンドルコア（１２２）に取り付けられた、ゴム、革、またはコルクのグリップ（１２１）であって、プレイヤーが前記伸縮式ハンドル（１１０）、および前記長さを調整可能なシャフト（１００）を保持するためのグリップとを備え、
調整可能なロフト機構（５００ａ、５００ｂ）を備える少なくとも１つの交換可能なヘッド（２００、３００、４００）は、
ａ’）競技中に調整可能なロフト機構（５００、５００ａ、５００ｂ）を背面で支持するクラブヘッドフェース（５０６、５０６ａ、５０６ｂ）と、
ｂ’）ホーゼルロフト軸（５３２ａ、５３２ｂ）であって、
ｂ’．１）長さを調整可能なシャフト（１００）に連結されるホーゼルセクション（５３３ａ、５３３ｂ）であり、雌型ホーゼル突起（５３４ａ、５３４ｂ）および雄型ホーゼル突起（５３５ａ、５３５ｂ）のいずれか一方であり、雄型ホーゼル突起（５３５ａ、５３５ｂ）の場合にヘッド交換機構（１７０）に適合する前記ホーゼルセクション（５３３ａ、５３３ｂ）と、
ｂ’．２）調整可能なロフト機構（５００ａ、５００ｂ）を保持するロフト軸セクション（５３７ａ、５３７ｂ）と、
ｂ’．３）ヒール側部（５０８ａ）においてロフト軸セクション（５３７ａ）をホーゼルセクション（５３３ａ）に連結するオフセットセクション（５３６ａ）とを備える前記ホーゼルロフト軸（５３２ａ、５３２ｂ）と、
ｃ’）少なくとも３つのセクションによって規定されたスキャンセクション（５５０）を備える修正されたソール幾何学的形状部（５４５）であって、各セクションは、ヘッドの体積部を横断するソールに沿ったライン（５５２）を含み、各ラインは、前記ヘッドがボールの前方で地面（５４９）に水平（５５１）に配置されるときに、前記調整可能なヘッドに対応する範囲のヘッドのロフト角に対応する１つの中間ロフト角（５４７）および２つのロフト角端部（５４８）を含む少なくとも３つの調整されたロフト角でクラブヘッドフェース（５０６）に接触する位置に規定される前記修正されたソール幾何学的形状部とを備えることを特徴とする請求項１に記載のコンパクトで構成変更可能なゴルフクラブセット。
【請求項３】
前記調整可能なロフト機構（５００ａ、５００ｂ）において、
前記コネクティングロッドのうちの１つにおける長さは、前記コネクティングロッドのうちの１つにおける軸線に向きが適合するねじ（５１６ａ、５１６ｂ）によって修正され、
ねじ（５１６ａ、５１６ｂ）の一方の端部が、軸線方向に沿って移動せずにその軸線の周りを回転し、ピボット頂点の１つに適合する軸受（５２４ａ、５２４ｂ）によって保持され、
ねじ（５１６ａ、５１６ｂ）の他方の端部が、その軸線の周りを回転し、かつ対向するピボット頂点に適合する軸受ナット（５２６ａ、５２６ｂ）において軸線方向に沿って移動することを特徴とする請求項１に記載のコンパクトで構成変更可能なゴルフクラブセット。
【請求項４】
調整可能なロフト機構（５００ａ、５００ｂ）が、
フェースの背面（５０２ａ）、フェース枠（５０３ｂ）、ソール（５０４ａ、５０４ｂ）、外殻（５０５ｂ）の少なくとも１つを備える裏側ヘッド領域であって、外殻は、ロフトを調整可能なウッドヘッド（２０２）を収容する前記裏側ヘッド領域を備え、
ねじ（５１６ａ、５１６ｂ）の一方の端部が、軸受シリンダ（５２４ａ、５２４ｂ）の表面に穿孔された半径方向ボア（５２５ａ、５２５ｂ）において回転する滑らかなシリンダ状セクション（５１７ａ、５１７ｂ）を備え、
ねじ（５１６ａ、５１６ｂ）の他方の端部が、軸受ナットシリンダ（５２６ａ、５２６ｂ）の雌ねじ半径方向ボア（５２７ａ、５２７ｂ）にねじ込まれるねじセクション（５１８ａ、５１８ｂ）を備え、
軸受シリンダ（５２４ａ、５２４ｂ）はピボット頂点であり、その軸線は、ねじ（５１６ａ、５１６ｂ）の軸線に対して垂直、かつ調整可能なロフト機構（５００ａ、５００ｂ）を含む平面を規定する垂線に対して平行であり、ねじ（５１６ａ、５１６ｂ）が軸線方向に沿って移動することを防止し、
軸受ナットシリンダ（５２６ａ、５２６ｂ）は、別の連続的なピボット頂点であり、その軸線は、ねじ（５１６ａ、５１６ｂ）の軸線に対して垂直、かつ調整可能なロフト機構（５００ａ、５００ｂ）を含む平面を規定する垂線に対して平行であり、
調整可能なロフト機構（５００ａ、５００ｂ）を含む平面を規定する垂線は、ロフト軸セクション（５３７ａ、５３７ｂ）に対して平行であり、
結合されたコネクティングロッド（５４０ａ、５４０ｂ）は、第２のコネクティングロッド（５１５ａ、５１５ｂ）に適合する固定長リンクであることを特徴とする請求項３に記載のコンパクトで構成変更可能なゴルフクラブセット。
【請求項５】
調整可能なロフト機構（５００ａ、５００ｂ）において、
第１の構成では、軸受ナットシリンダ（５２６ａ）が第１の頂点ピボット（５１１ａ）に対応し、かつ前記裏側ヘッド領域に連結され、軸受シリンダ（５２４ａ）が第３の頂点ピボット（５１３ａ）に対応し、かつ、結合されたコネクティングロッド（５４０ａ）に連結され、前記コネクティングロッドの反対側の端部によって、第２の連結頂点（５１２ａ）においてロフト軸セクション（５３７ａ）に取り付けられ、
第２の構成では、軸受シリンダ（５２４ｂ）が第１の頂点ピボット（５１１ｂ）に対応し、かつ前記裏側ヘッド領域に連結され、軸受ナットシリンダ（５２６ｂ）が第３の頂点ピボット（５１３ｂ）に対応し、かつ第２のコネクティングロッド（５１５ｂ）に対応する結合されたコネクティングロッド（５４０ｂ）に連結され、前記コネクティングロッドの対向端部によって、第２の連結頂点（５１２ｂ）においてロフト軸セクション（５３７ｂ）に取り付けられ、
ねじ（５１６ａ、５１６ｂ）は、プレイヤーが指で回転させるための同心連結ダイヤル（５１９ａ、５１９ｂ）を備え、
ロフトを調整可能なウッドヘッド（２０２）に対し、ダイヤル（５１９ｂ）は、ねじ（５１６ｂ）の上部および前記第１の頂点ピボット（５１１ｂ）の上方に配置され、前記ダイヤル（５１９ｂ）は、外殻にある穿孔（５５４ｂ）によって外殻５０５ｂを通して視認可能であることを特徴とする請求項４に記載のコンパクトで構成変更可能なゴルフクラブセット。
【請求項６】
調整可能なロフト機構（５００ａ、５００）において、
ａ）ロフト軸セクション（５３７ａ、５３７ｂ）が３つの同心ピボットブラケットで回転し、同心ピボットブラケットの軸線が、前記ヘッドの水平面に平行であり、かつ前記裏側ヘッド領域に配置され、
ａ．１）第１のピボットブラケットとしてのロフト軸ピボットブラケット（５２９ａ、５２９ｂ）が、ヒール側部（５０８ａ、５０８ｂ）の近傍に配置され、
ａ．２）第２の一対のピボットブラケットとしてのトウ側部（５０７ａ、５０７ｂ）の近傍の第２の頂点ピボットブラケット（５３０ａ、５３０ｂ）が、前記第２の連結頂点（５１２ａ、５１２ｂ）と、ロフト軸セクション（５３７ａ、５３７ｂ）に連結された第２のコネクティングロッド（５１５ａ、５１５ｂ）とを保持して、それらの回転を案内し、
ａ．３）前記一対の第２の頂点ピボットブラケット（５３０ａ、５３０ｂ）、ロフト軸ピボットブラケット（５２９ａ、５２９ｂ）、およびロフト軸セクション（５３７ａ、５３７ｂ）が、ソール（５０４ａ、５０４ｂ）付近の前記ヘッドの底部にあり、
ｂ）追加的な対の第１の頂点ピボットブラケット（５３１ａ、５３１ｂ）が、第１の頂点ピボット（５１１ａ、５１１ｂ）を保持し、かつ前記裏側ヘッド領域に連結され、
ｃ）結合されたコネクティングロッド（５４０ａ、５４０ｂ）では、一対の第３の頂点ピボットブラケット（５４１ａ、５４１ｂ）が、軸受シリンダ（５２４ａ）または軸受ナットシリンダ（５２６ｂ）を含む構成で第３の頂点ピボット（５１３ａ、５１３ｂ）を保持することを特徴とする請求項４に記載のコンパクトで構成変更可能なゴルフクラブセット。
【請求項７】
調整可能なロフト機構（５００ａ、５００ｂ）において、
結合されたコネクティングロッド（５４０ａ、５４０ｂ）が雄型および雌型アセンブリによってロフト軸セクション（５３７ａ、５３７ｂ）に取り付けられ、
ロフト軸セクション（５３７ａ、５３７ｂ）が、結合されたコネクティングロッド（５４０ａ、５４０ｂ）に直角に、雄型形状部（５３８ａ、５３８ｂ）のその軸線方向の端部で第２の連結頂点（５１２ａ、５１２ｂ）に挿入され、相対的回転が、ロフト軸セクション（５３７ａ、５３７ｂ）に平行な偏心ピン（５３９ａ、５３９ｂ）を含むピンによって防止され、ロフト軸セクション（５３７ａ、５３７ｂ）と、結合されたコネクティングロッド（５４０ａ、５４０ｂ）とでガイドピン（５３９ａ、５３９ｂ）の半径方向の周囲を共有し、前記ガイドピン（５３９ａ、５３９ｂ）は、第２の頂点ピボットブラケット（５３０ａ、５３０ｂ）の間の結合されたコネクティングロッド（５４０ａ、５４０ｂ）の幅に閉じ込められ、
ロフト軸セクション（５３７ａ、５３７ｂ）は、止め輪（５４４ａ、５４４ｂ）によってヘッドの軸線方向の移動を防止し、止め輪はロフト軸セクション（５３７ａ、５３７ｂ）に取り付けられ、かつロフト軸ピボットブラケット（５２９ａ、５２９ｂ）の内面に支持され、ロフト軸セクション（５３７ａ、５３７ｂ）は、トウ側部（５０７ａ、５０７ｂ）に最も近い第２の頂点ピボットブラケット（５３０ａ、５３０ｂ）に当接することを特徴とする請求項６に記載のコンパクトで構成変更可能なゴルフクラブセット。
【請求項８】
調整可能なロフト機構（５００ｂ）が、ヒール側部（５０８ｂ）にあるフェース枠（５０３ｂ）の外表面において、ロフトを調整可能なウッドヘッド（２０２）に関して、ホーゼルセクション（５３３）を部分的に収容するヒール凹面（５５３ｂ）を含み、ヘッドのロフト角の範囲を前記調整可能なヘッドに対応させることを特徴とする請求項２に記載のコンパクトで構成変更可能なゴルフクラブセット。
【請求項９】
ヘッド交換機構（１７０）が、
互いに対して摺動するピンロック（１７３）、内部交換シリンダ（１７７）および外部交換シリンダ（１８６）を備え、内部交換シリンダ（１７７）はピンロック（１７３）を収容し、内部交換シリンダ（１７７）はヘッド交換セクション（１６１）に連結され、内部交換シリンダ（１７７）および外部交換シリンダ（１８６）は、凹状および凸状の少なくとも一方の幾何学的形状を有し、
ピンロック（１７３）は、標準的なホーゼル（１９９）の中空シリンダ状突起（１９８）に永久的に取り付けられて、固定ロフトのヘッド（２０１、３０１、４０１）に連結され、ピンロック（１７３）は、ホーゼルセクション（５３３ａ、５３３ｂ）の雌型ホーゼル突起（５３４ａ、５３４ｂ）に永久的に取り付けられて、ロフトを調整可能なヘッド（２０２、３０２）に連結され、
ホーゼルセクション（５３３ａ、５３３ｂ）または標準的なホーゼル（１９９）から起立したピンロック雄型突起（１７４）が、耐トルク性幾何学的形状を有し、内部交換シリンダの内表面（１７８）の幾何学的形状がピンロック雄型突起（１７４）の外表面の幾何学的形状に適合し、
内部交換シリンダ（１７７）が、表面の半径方向ボア（１８２）に少なくとも１つのロック要素（１８３）を収容し、
ピンロック雄型突起（１７４）が、その表面に、ロック要素（１８３）を収容する少なくとも１つのピンロック用窪み（１７５）を備え、
連結位置（１７１）において、ロック要素（１８３）が半径方向に摺動して、ピンロック用窪み（１７５）、前記半径方向ボア（１８２）、および外部交換シリンダの内表面（１８７）に閉じ込められ、
非連結位置（１７２）において、プレイヤーが外部交換シリンダ（１８６）を摺動させ、外部交換シリンダの内表面（１８７）にあるデカップリング凹部（１８８）によって、ロック要素（１８３）を半径方向に摺動させて、ロック要素（１８３）をピンロック用窪み（１７５）から解放することを特徴とする請求項２に記載のコンパクトで構成変更可能なゴルフクラブセット。
【請求項１０】
ピンロック雄型突起（１７４）が、内部交換シリンダ（１７７）に挿入されかつホーゼルセクション（５３３ａ、５３３ｂ）または標準的なホーゼル（１９９）内へ向けて拡大する小径端部セクションを有し、前記ピンロック雄型突起（１７４）が、固有の組立の向きを可能にする少なくとも特有の幾何学的形状を備える凹状または凸状の多角形であり、ホーゼルセクション（５３３ａ、５３３ｂ）または標準的なホーゼル（１９９）に挿入されたピンロックホーゼル突起（１７６）が、中空のシリンダ状幾何学的形状を有し、その中空のシリンダ状幾何学的形状のサイズが、典型的な方法によって標準的なシャフトをホーゼルセクション（５３３ａ、５３３ｂ）または標準的なホーゼル（１９９）へ取り付けることを可能にするように設定されることを特徴とする請求項９に記載のコンパクトで構成変更可能なゴルフクラブセット。
【請求項１１】
ピンロック（１７３）が、ホーゼルセクション（５３３ａ、５３３ｂ）または標準的なホーゼル（１９９）に挿入されたピンロックホーゼル突起（１７６）に、標準的なシャフトを取り付ける典型的な取り付け方法と類似または等価の方法によって、ピンロック（１７３）を取り付けることを可能にし、該方法は、コンタクトセメント、硬化エポキシ樹脂、ロッキングスリーブ、圧縮コーン、干渉調整、エキスパンションジョイント、軸線方向締付けねじ、側面締付けねじ、ボルト付きまたはリベット継手を含むことを特徴とする請求項１０に記載のコンパクトで構成変更可能なゴルフクラブセット。
【請求項１２】
ヘッド交換機構（１７０）が六角形ピンロック（１７３）を備え、この六角形ピンロックが、六角形ピンロック雄型突起（１７４）を有し、
少なくとも１つの六角形フェースが、固有の取り付け位置を可能にする特有の幾何学的形状を有し、
ロック要素（１８３）がボールからなり、
１つまたは複数のロッキングボール（１８３）が、内部交換シリンダの内表面（１７８）の六角形セクションに対応する領域において、１つ以上の円錐形の等距離にある半径方向ボア（１８２）に配置され、
ピンロック用窪み（１７５）が凹状半球であり、その直径は、最も幅の広い位置において、ロッキングボール（１８３）の直径以下であり、
ピンロック用窪み（１７５）が、六角形ピンロック（１７３）に配置され、かつヘッド交換機構（１７０）が連結位置にあるときに、前記半径方向ボア（１８２）、ひいてはロッキングボール（１８３）の位置に適合することを特徴とする請求項９に記載のコンパクトで構成変更可能なゴルフクラブセット。
【請求項１３】
内部交換シリンダ（１７７）が外表面（１７９）にカップリングスプリング（１８４）を収容し、そのカップリングスプリングは、伸張時、外部交換シリンダ（１８６）を連結位置（１７１）に押し込み、押圧されたカップリングスプリング（１８４）は、外部交換シリンダ（１８６）を非連結位置（１７２）に押し込み、外部交換シリンダ（１８６）、およびカップリングスプリング（１８４）に対するプレイヤーの動作が、軸線方向に沿った動き、ねじり、またはそれらの組み合わせであることを特徴とする請求項９に記載のコンパクトで構成変更可能なゴルフクラブセット。
【請求項１４】
ヘッド交換機構（１７０）は、内部交換シリンダ（１７７）の底部にデカップリングスプリング（１８５）を備え、デカップリングスプリングは、連結位置（１７１）にあるときには、ピンロック雄型突起（１７４）の先端部に対して押圧されたままであることを特徴とする請求項９に記載のコンパクトで構成変更可能なゴルフクラブセット。
【請求項１５】
ピンロック（１７３）が、ヘッド交換機構（１７０）に適合する雄型ホーゼル突起（５３５ａ、５３５ｂ）によって置き換えられ、ホーゼルロフト軸（５３２ａ、５３２ｂ）の製造中に形成され、およびホーゼルセクション（５３３ａ、５３３ｂ）または標準的なホーゼル（１９９）から起立した前記ピンロック（１７３）のピンロック雄型突起（１７４）と等価であることを特徴とする請求項９に記載のコンパクトで構成変更可能なゴルフクラブセット。
【請求項１６】
ヘッド交換機構（１７０）が、ガイドスロット（１８０）を移動するガイドピン（１８１）を備え、外部交換シリンダ（１８６）の移動を制限し、前記ガイドピン（１８１）は、外部交換シリンダ（１８６）に連結され、かつ外部交換シリンダ（１８６）を貫通し、ガイドピン（１８１）の幅の前記ガイドスロット（１８０）は、軸線に平行でかつ内部交換シリンダ（１７７）の外表面上の縦方向凹部であることを特徴とする請求項９に記載のコンパクトで構成変更可能なゴルフクラブセット。
【請求項１７】
伸縮式機構（１３０）が、
互いに摺動する内部伸縮式シリンダ（１３６）および外部伸縮式シリンダ（１３３）を備え、内部伸縮式シリンダ（１３６）が、長さ調整可能セクション（１６３）にわたって摺動し、かつハンドルコア（１２２）、およびハンドル（１２０）に連結され、内部伸縮式シリンダ（１３６）の表面にある１つ以上のロック用半径方向ボア（１３７）が、少なくとも１つのロック要素（１３８）を収容し、内部伸縮式シリンダ（１３６）および外部伸縮式シリンダ（１３３）が、凹状および凸状の少なくとも一方の幾何学的形状を有し、
個別の長さ方向位置（１６５）が、調整面（１６８）にある少なくとも１つのシャフト窪み（１６５）によって形成され、前記窪みがロック要素（１３８）を収容し、前記調整面が、耐トルク性幾何学的形状を有し、
ロック位置（１３１）では、１つまたは複数のロック要素（１３８）が、シャフト窪み（１６５）、前記ロック用半径方向ボア（１３７）、および外部伸縮式シリンダの内表面（１３４）に閉じ込められるまで、半径方向に摺動し、
ロック解除位置（１３２）では、プレイヤーは外部伸縮式シリンダ（１３３）を摺動させ、外部伸縮式シリンダの内表面（１３４）にあるロック解除凹部（１３５）によって、１つまたは複数のロック要素（１３８）が半径方向に摺動できるようにし、ロック要素（１３８）をシャフト窪み（１６５）から解放させることを特徴とする請求項２に記載のコンパクトで構成変更可能なゴルフクラブセット。
【請求項１８】
内部伸縮式シリンダ（１３６）は、その外表面にロックスプリング（１４２）を収容し、そのロックスプリングは、伸張時、外部伸縮式シリンダ（１３３）をロック位置（１３１）に押し込み、押圧時、ロックスプリング（１４２）は外部伸縮式シリンダ（１３３）をロック解除位置（１３２）に押し込み、外部伸縮式シリンダ（１３３）およびロックスプリング（１４２）に対するプレイヤーの動作は、軸線方向に沿った動き、ねじり、またはそれらの組み合わせであることを特徴とする請求項１７に記載のコンパクトで構成変更可能なゴルフクラブセット。
【請求項１９】
内部伸縮式シリンダ（１３６）が、外部伸縮式シリンダ（１３３）用の移動ストッパ（１４３）を備え、前記ストッパは、内部伸縮式シリンダ（１３６）の前記外表面の開始部にある小さなタブからなり、外部伸縮式シリンダの前記内表面（１３４）のロック解除凹部（１３５）に収まって、移動限界を設定することを特徴とする請求項１７に記載のコンパクトで構成変更可能なゴルフクラブセット。
【請求項２０】
シャフトバットセクション（１６６）がシャフトバット端部（１６７）を有し、該シャフトバット端部は、伸縮式ハンドル（１１０）を案内して、その最大長を制限することを特徴とする請求項２に記載のコンパクトで構成変更可能なゴルフクラブセット。
【請求項２１】
選択可能な固定ロフト（２０１、３０１、４０１）を有する交換可能なヘッド（２００、３００、４００）に基づいた請求項１に記載のコンパクトで構成変更可能なゴルフクラブセットにあるクラブの組立方法であって、該組立方法は、ショットを打つ前にプレイヤーによって、
ヘッド交換機構（１７０）によって前記固定ロフトのヘッド（２０１、３０１、４０１）を、前記長さを調整可能なシャフト（１００）に連結するステップと、
伸縮式ハンドル（１１０）の伸縮式機構（１３０）によって、長さを調整可能なシャフト（１００）を伸ばしたりまたは短くしたりするステップと、
クラブの構成、およびボールの前方の打撃位置において、取り付けられたヘッドの水平の位置を確認するステップと
を行うことを特徴とする方法。
【請求項２２】
請求項７に記載のコンパクトで構成変更可能なゴルフクラブセットの組立方法であって、該組立方法は、ショットを打つ前にプレイヤーによって、
ヘッド交換機構（１７０）により、前記ロフトを調整可能なヘッド（２０２、３０２）を、前記長さを調整可能なシャフト（１００）に連結するステップと、
前記ロフトを調整可能なヘッド（２０２、３０２）のロフト角（５０９ａ、５０９ｂ）を調整するステップと、
伸縮式ハンドル（１１０）の伸縮式機構（１３０）によって長さを調整可能なシャフト（１００）を伸ばしたりまたは短くしたりするステップと、
クラブの構成、およびボールの前方の打撃位置において、ソール（５０４）を地面に配置することによって、取り付けられたヘッドの水平の位置を確認するステップとを行い、
ロフト角（５０９ａ、５０９ｂ）を調整する前記ステップは、プレイヤーが、調整可能なロフト機構（５００ａ、５００ｂ）にあるダイヤル（５１９ａ、５１９ｂ）を回すステップを含むことを特徴とする方法。
【手続補正２】
【補正対象書類名】明細書
【補正対象項目名】発明の名称
【補正方法】変更
【補正の内容】
【発明の名称】コンパクトで構成変更可能なゴルフクラブセットおよび組立方法